(57)【要約】【課題】建物の外から取り付けられる外付け部材を容易に取り付けることが可能な外付け部材の取付構造を提供する。【解決手段】建物の外から当該建物の躯体に取り付けられる外付け部材の取付構造であって、前記外付け部材は、前記躯体に固定されたアタッチメントに係合される係合部と、前記係合部が設けられ、前記アタッチメントとともに貫通されるボルトにより前記躯体に取り付けられる取付部と、を有し、前記係合部は、前記アタッチメントに係合されて前記ボルトが挿通される挿通部を形成し、前記ボルトが挿通される挿通方向において、前記挿通部に挿通された前記ボルトの頭部と前記アタッチメントとの間に配置される。【選択図】図３
2018066218.tif 000002
【特許請求の範囲】
【請求項１】
建物の外から当該建物の躯体に取り付けられる外付け部材の取付構造であって、
前記外付け部材は、前記躯体に固定されたアタッチメントに係合される係合部と、
前記係合部が設けられ、前記アタッチメントとともに貫通されるボルトにより前記躯体に取り付けられる取付部と、
を有し、
前記係合部は、前記アタッチメントに係合されて前記ボルトが挿通される挿通部を形成
し、前記ボルトが挿通される挿通方向において、前記挿通部に挿通された前記ボルトの頭部と前記アタッチメントとの間に配置されることを特徴とする外付け部材の取付構造。
【請求項２】
請求項１に記載の外付け部材の取付構造であって、
前記挿通部は、前記係合部と前記アタッチメントに設けられたフック片とが係合し、
前記係合部は前記フック片より、挿通される前記ボルト側に位置することを特徴とする外付け部材の取付構造。
【請求項３】
請求項１または請求項２に記載の外付け部材の取付構造であって、
前記アタッチメントは、前記係合部が係合されたときに、当該係合部の上方にて対向し前記係合部とともに前記挿通部を形成する挿通部形成部と、
前挿通部形成部より上方にて外側に張り出す張出部と、を有し、
前記取付部の、前記係合部より上方に突出する部位の長さは、前記挿通部形成部の下縁と前記張出部の下面との距離より長く、
前記係合部と前記アタッチメントとが係合する係合代は、前記係合部が係合されたときの前記取付部の上端と前記張出部との距離より短いことを特徴とする外付け部材の取付構造。
【請求項４】
請求項１乃至請求項３のいずれかに記載の外付け部材の取付構造であって、
前記外付け部材は、耐震補強部材であることを特徴とする外付け部材の取付構造。
【発明の詳細な説明】
【技術分野】
【０００１】
本発明は、外付け部材の取付構造に関する。
【背景技術】
【０００２】
建物の躯体に外から取り付けられる外付け部材の取付構造としては、例えば、耐震補強枠の取付構造が知られている（例えば、特許文献１参照）。耐震補強枠は、上枠部材の両端部に左右の縦枠部材を剛接合してコの字形状に構成したラーメンフレームであり、上枠部材及び縦枠部材は、角筒状のアルミニウム合金製の押し出し型材である。上枠部材には、連結ヒレ部が設けており、連結ヒレ部の鉛直に形成された平板状部分が建物の横架材にねじ部材により直接連結されている。
【先行技術文献】
【特許文献】
【０００３】
【特許文献１】特開２０１５−４８６４５号公報
【発明の概要】
【発明が解決しようとする課題】
【０００４】
上記ラーメンフレームは耐震補強枠なので、高い剛性を備えるため重量も大きい。このため、ラーメンフレームを建物の横架材にねじ部材により直接連結する場合には、複数の作業者がラーメンフレームを支えた状態で他の作業者がねじ部材を螺合しなければならず、作業が繁雑である。
【０００５】
本発明は、かかる課題に鑑みてなされたものであり、その目的とするところは、建物の外から取り付けられる外付け部材を容易に取り付けることが可能な外付け部材の取付構造を提供することにある。
【課題を解決するための手段】
【０００６】
かかる目的を達成するために本発明の外付け部材の取付構造は、建物の外から当該建物の躯体に取り付けられる外付け部材の取付構造であって、前記外付け部材は、前記躯体に固定されたアタッチメントに係合される係合部と、前記係合部が設けられ、前記アタッチメントとともに貫通されるボルトにより前記躯体に取り付けられる取付部と、を有し、前記係合部は、前記アタッチメントに係合されて前記ボルトが挿通される挿通部を形成し、前記ボルトが挿通される挿通方向において、前記挿通部に挿通された前記ボルトの頭部と前記アタッチメントとの間に配置されることを特徴とする外付け部材の取付構造である。
【０００７】
このような外付け部材の取付構造によれば、外付け部材は、躯体に固定されるアタッチメントに係合されるので、作業者が外付け部材を支持しなくとも外付け部材を容易に取り付けることが可能である。また、アタッチメントに係合されてボルトの挿通部を形成する係合部は、当該ボルトの挿通方向において挿通されたボルトの頭部とアタッチメントとの間に配置されているので、ボルトの挿通部と係合部とは近接させて設けられている。このため、取付部及びアタッチメントを小さくして軽量化を図ることができるとともに、施工時における作業者の移動を減らすことが可能なので、より一層容易に取り付けることが可能である。
【０００８】
かかる外付け部材の取付構造であって、前記挿通部は、前記係合部と前記アタッチメントに設けられたフック片とが係合し、前記係合部は前記フック片より、挿通される前記ボルト側に位置することが望ましい。
【０００９】
このような外付け部材の取付構造によれば、係合部はフック片と係合した状態で、挿通されるボルト側に位置しているので、ボルトと係合部とがより近接して配置される。このため、外付け部材及びアタッチメントを、より小型化するとともに軽量化を図ることが可能である。
【００１０】
かかる外付け部材の取付構造であって、前記アタッチメントは、前記係合部が係合されたときに、当該係合部の上方にて対向し前記係合部とともに前記挿通部を形成する挿通部形成部と、前挿通部形成部より上方にて外側に張り出す張出部と、を有し、前記取付部の、前記係合部より上方に突出する部位の長さは、前記挿通部形成部の下縁と前記張出部の下面との距離より長く、前記係合部と前記アタッチメントとが係合する係合代は、前記係合部が係合されたときの前記取付部の上端と前記張出部との距離より短いことが望ましい。
【００１１】
このような外付け部材の取付構造によれば、躯体に固定されたアタッチメントに外付け部材を係合する際には、取付部の上端をアタッチメントの張出部の下面に当接させつつ取付部をアタッチメントに近づけることにより、係合部を挿通部形成部の下に容易に入り込ませて、係合可能な位置に配置させることが可能である。
【００１２】
かかる外付け部材の取付構造であって、前記外付け部材は、耐震補強部材であることが望ましい。
このような外付け部材の取付構造によれば、耐震補強部材は、剛性が高く重量が大きいので、アタッチメントに係合した後に、ボルトにより躯体に固定できる、本外付け部材の取付構造がより適している。
【発明の効果】
【００１３】
本発明によれば、建物の外から取り付けられる外付け部材を容易に取り付けることが可能である。
【図面の簡単な説明】
【００１４】
【図１】本実施形態に係る外付け部材の取付構造により取り付けられている耐震補強フレームを示す正面図である。
【図２】耐震補強フレームが既存建物に取り付けられた状態を示す縦断面図である。
【図３】図２におけるＡ部の拡大図である。
【図４】梁に取り付けられたアタッチメントを説明するための斜視図である。
【図５】取付部の固定手順を示す図である。
【発明を実施するための形態】
【００１５】
以下、本発明の一実施形態に係る外付け部材の取付構造について図面を参照して説明する。
本実施形態では、建物の外から躯体に取り付けられる外付け部材として耐震補強フレームを例に挙げて説明する。本実施形態の耐震補強フレーム１は、例えば図１に示すように、
既存建物２の窓などの開口２１が設けられている位置に合わせて外側から躯体に取り付けられている。本実施形態の場合には、既存建物２の躯体をなす基礎２ａと上階をなす２階の床を支持する梁２ｂとに取り付けられている。
【００１６】
以下の説明においては、既存建物２に取り付けられている状態の耐震補強フレーム１を、既存建物２に向かって見たときに、上下となる方向を上下方向、左右となる方向を左右方向、奥行き方向を見込み方向として示す。耐震補強フレーム１の各部位であっても、また、耐震補強フレーム１を構成する各部材については単体の状態であっても、既存建物２に取り付けられた状態にて上下方向、左右方向、見込み方向となる方向にて方向を特定して説明する。また、見込み方向においては、既存建物２側を梁２ｂ側とし、既存建物２の外側を単に外側として説明する。
【００１７】
耐震補強フレーム１が取り付けられる耐震補強の対象となる既存建物２の梁２ｂの外側には、木摺２ｃが設けられており、木摺２ｃの外側に防水シート２３及びラス（不図示）が重ねて張設されており、その上からモルタル２ｄが塗られて外壁２２が形成されている。
【００１８】
耐震補強フレーム１は、左右方向において互いに間隔を空けて上下方向に沿って配置される２本の縦材３と、２本の縦材３の上側及び下側にそれぞれ配置されて左右方向において２本の縦材３にわたるように設けられる２本の横材４とを矩形状に剛接合したラーメンフレームである。縦材３及び横材４は、いずれもアルミニウム製の押出成形部材であり、それぞれほぼ角筒状をなしている。矩形状に剛接合された耐震補強フレーム１は、下の横材４が固定金具７を介して既存建物２の基礎２ａに固定され、上の横材４は、既存建物２の梁２ｂに固定される。
【００１９】
図２、図３に示すように、上の横材４は、縦断面形状が、上下方向の幅が見込み方向の幅より長い長方形状をなしており、水平な上面をなす上面部４ａから梁２ｂ側に延出された延出端部４ｂが上の横材４の長手方向における全長にわたって設けられている。延出端部４ｂは、上面部４ａから延びて水平面をなす板状の延出部４ｃと、延出部４ｃの梁２ｂ側の縁部から鉛直に立ち上がって梁２ｂに取り付けられる板状の取付部４ｄと、を有している。
【００２０】
取付部４ｄの梁２ｂ側の面には、梁２ｂ側に突出し、先端が下方に突出する係合片４ｅを備えた係合部４ｆが設けられている。係合部４ｆは、梁２ｂに固定されるアタッチメント５に係合される部位であり、係合したときにアタッチメント５に設けられている後述する上溝下形成片５ａの先端に設けられたフック片５ｂが入り込む係合凹部４ｇが取付部４ｄにおける係合部４ｆの下に設けられている。
【００２１】
耐震補強フレーム１は、既存建物２の外壁２２において耐震補強フレーム１の取り付け対象箇所のモルタル２ｄ及び木摺２ｃが切除された部位に、取り付けられる。モルタル２ｄ及び木摺２ｃの切除部分は、左右方向に長いいずれも長方形状をなしているが、木摺２ｃの切除部分の方がモルタル２ｄの切除部分より小さく形成されている。このとき、防水シート２３及びラスも木摺２ｃと同じ大きさに切除されている。より具体的には、モルタル２ｄの切除部分は、上の横材４の取付部４ｄ及びアタッチメント５が挿入可能な大きさをなしており、木摺２ｃの切除部分は、アタッチメント５の外形形状より小さく形成されている。
【００２２】
図３、図４に示すように、アタッチメント５は、アルミニウム製の押出成形部材である。アタッチメント５は、既存建物２に取り付けられたときに壁面に沿って、すなわちほぼ鉛直に配置される鉛直壁部５ｃと、鉛直壁部５ｃの上端側に設けられ外側に向かい全長にわたって張り出した張出部５ｄと、を有しており、鉛直壁部５ｃの外側に上下方向に間隔を隔てて左右方向に沿った２つの溝部５ｅを形成する溝形成片５ａ、５ｆ、５ｇ、５ｈが外側に向かって突出されている。尚、図３においては、構成を明確にするために既存の防水シート２３と新たな防水シート２４との間、モルタル２ｄ及びアタッチメント５と木摺２ｃとの間を広げて示している。また。図４においては、防水シート２３、２４の表示を省略している。
【００２３】
張出部５ｄは、アタッチメント５が梁２ｂに取り付けられたときに、外壁２２の壁面より外側まで突出するように形成されている。また、２つの溝部５ｅのうちの下側の溝部５ｅは、アタッチメント５を梁２ｂに固定するビス６の頭部６ａが収容される収容部をなしている。
【００２４】
下の溝部５ｅを形成する下溝上形成片５ｆと下溝下形成片５ｇとの上下方向における間隔は、収容するビス６の頭部６ａの直径より僅かに広く形成されている。下の溝部５ｅの深さをなす下溝上形成片５ｆ及び下溝下形成片５ｇの鉛直壁部５ｃからの突出量は、ビス６の頭部６ａの高さより僅かに長く形成されている。また、下溝上形成片５ｆと下溝下形成片５ｇとの間の鉛直壁部５ｃには、ビス６が挿通されるビス孔５ｉ及びボルト８が挿通されるボルト孔５ｊが設けられている。
【００２５】
また、下溝下形成片５ｇの先端は、下方に垂設された垂設壁５ｋと、垂設壁５ｋの下端から梁２ｂ側に突出して既存建物２の外壁２２に当接される建物当接部５ｌと、が設けられている。
【００２６】
上の溝部５ｅを形成する上溝上形成片５ｈと上溝下形成片５ａとの上下方向における間隔は、下の溝部５ｅの下溝上形成片５ｆと下溝下形成片５ｇとの間隔より広く形成されている。上溝下形成片５ａの外側の先端は、上方に立ち上がり、取付部４ｄの係合片４ｅが係合されるフック片５ｂをなしている。このため、上の溝部５ｅには、取付部４ｄの係合部４ｆが挿入可能に設けられている。
【００２７】
フック片５ｂは、梁２ｂに取り付けられたアタッチメント５に耐震補強フレーム１が係合されたときに、フック片５ｂが取付部４ｄの係合凹部４ｇに入り込み、係合片４ｅと見込み方向に対向する。ここで、フック片５ｂと係合片４ｅとが対向する部位の長さが係合代Ｌ１に相当する。また、上の溝部５ｅ内に係合部４ｆが挿入されて係合片４ｅとフック片５ｂが係合した状態で、上溝上形成片５ｈと係合部４ｆとの間に、ボルト８が挿通されるボルト挿通部２６をなし左右方向に沿った中空部が形成される。ボルト挿通部２６を形成する上溝上形成片５ｈと係合部４ｆとの間の鉛直壁部５ｃにもボルト８が挿通されるボルト孔５ｊが設けられている。
【００２８】
前述した取付部４ｄにおいて係合部４ｆより上側に突出する部位の長さＬ２は、アタッチメント５の張出部５ｄの下面５ｍと上溝上形成片５ｈの下縁５ｎ、すなわち、上の溝部５ｅの上縁との距離Ｌ３より長く、係合部４ｆの係合片４ｅとアタッチメント５のフック片５ｂとが見込み方向において対向する長さを示す係合代Ｌ１は、係合部４ｆが係合されたときの取付部４ｄの上端と張出部５ｄの下面５ｍとの距離Ｌ４より短く形成されている。
【００２９】
耐震補強フレーム１の上の横材４を既存建物２に取り付ける方法は、まず、既存建物２の外壁２２において取り付けの対象となる部位のモルタル２ｄ及び木摺２ｃを切除する。このとき、木摺２ｃとほぼ同じサイズでラス及び防水シート２３も切除する。この状態で、木摺２ｃを切除した部位からは梁２ｂが露出しており、梁２ｂが露出している部位の周りを囲み、モルタル２ｄが切除された部位の内側に、木摺２ｃの表面に防水シート２３及びラスが露出している部位が梁２ｂと段差をなして露出している。
【００３０】
次に、木摺２ｃを切除した部位を覆うように新たな防水シート２４を取り付ける。このとき、木摺２ｃが切除されて形成された木摺凹部２ｅには合板２５を釘で打ち付けるとともに、木摺凹部２ｅの上端にて、既存の防水シート２３と木摺２ｃとの間に新たな防水シート２４の上端部を挿入し、木摺凹部２ｅの左右と下側には、既存の防水シート２３の外側に重なるように新たな防水シート２４を配置し、既存の防水シート２３と新たな防水シート２４との境界部分をシーリング材（不図示）で接着する。
【００３１】
次に、図５に示すように、アタッチメント５を取り付ける。このとき、アタッチメント５の鉛直壁部５ｃ及び建物当接部５ｌが、木摺凹部２ｅを跨いで架け渡されるように木摺凹部２ｅの周縁部に配置された防水シート２３、２４に当接させる。そして、下の溝部５ｅに設けられたビス孔５ｉにビス６を進入させて梁２ｂに螺合しアタッチメント５を固定する。尚、図５においても防水シート２３、２４の表示を省略している。
【００３２】
次に、矩形状に剛接合された耐震補強フレーム１をアタッチメント５に係合させる。このとき、まず、耐震補強フレーム１の取付部４ｄの上端を、アタッチメント５の張出部５ｄの下面５ｍに当接させつつ耐震補強フレーム１を外壁２２側に移動し、上の横材４の取付部４ｄに設けられた係合部４ｆをアタッチメント５の上の溝部５ｅに挿入する。
【００３３】
次に、耐震補強フレーム１を外壁２２に沿うように姿勢を整え、下方に降ろすことにより、耐震補強フレーム１の係合部４ｆが有する係合片４ｅと、アタッチメント５の上溝下形成片５ａが有するフック片５ｂとが係合する。このとき、挿入された係合部４ｆと上溝上形成片５ｈとにより形成される中空部でなるボルト挿通部２６が形成される。ここで、上溝上形成片５ｈが挿通部形成部に相当する。
【００３４】
形成されたボルト挿通部２６と下の溝部５ｅとには、合板２５を釘で打ち付ける。また、耐震補強フレーム１の下端は、例えば、図１に示すように、既存建物２の基礎２ａにアンカーボルト（不図示）により固定された固定金具７上に載置して下の横材４と固定金具７とを接合して固定する。この状態で耐震補強フレーム１は、立てられた状態を維持することが可能である。
【００３５】
次に、取付部４ｄを見込み方向に貫通し、ボルト挿通部２６及び下の溝部５ｅに進入するボルト８をボルト孔５ｊに進入させて梁２ｂに螺合し上の横材４を梁２ｂに固定する。このとき、ボルト挿通部２６に進入したボルト８は、ボルト頭部８ａと上溝上形成片５ｈとの間に取付部４ｄを挟持するとともにボルト頭部８ａと鉛直壁部５ｃとの間に係合部４ｆを挟持するようにボルト８の軸力が作用しつつ梁２ｂに耐震補強フレーム１を固定する。下の溝部５ｅに進入したボルト８は、ボルト頭部８ａと下溝上形成片５ｆ及び下溝下形成片５ｇとの間に取付部４ｄを挟持するようにボルト８の軸力が作用しつつ梁２ｂに耐震補強フレーム１を固定する。
【００３６】
本実施形態の耐震補強フレーム１の取付構造によれば、耐震補強フレーム１は、梁２ｂに固定されるアタッチメント５に係合されるので、作業者が耐震補強フレーム１を支持しなくとも耐震補強フレーム１を容易に取り付けることが可能である。また、アタッチメント５に係合部４ｆが係合されて形成される、ボルト８のボルト挿通部２６は、当該ボルト８の挿通方向において挿通されたボルト８の頭部８ａとアタッチメント５との間に配置されているので、ボルト８のボルト挿通部２６と係合部４ｆとは近接させて設けられている。このため、取付部４ｄ及びアタッチメント５を小さくして軽量化を図ることができるとともに、施工時における作業者の移動を減らすことが可能なので、より一層容易に取り付けることが可能である。
【００３７】
また、係合部４ｆは、アタッチメント５とともに形成する中空部がなすボルト挿通部２６の内側に配置されるので、ボルト８が挿通されることにより係合部４ｆの係合が外れることを防止することが可能である。また、係合部４ｆが、ボルト８が挿通されるボルト挿通部２６の内側に位置しているので、ボルト８と係合部４ｆとをより近接させて、より軽量化を図ることが可能である。
【００３８】
また、梁２ｂに固定されたアタッチメント５に耐震補強フレーム１の係合部４ｆを係合する際には、取付部４ｄの上端をアタッチメント５の張出部５ｄの下面５ｍに当接させつつ取付部４ｄをアタッチメント５に近づけることにより、係合部４ｆを上溝上形成片５ｈの下に容易に入り込ませて、係合可能な位置に配置させることが可能である。
【００３９】
また、耐震補強部材は、剛性が高く重量が大きいので、アタッチメント５に係合した後に、ボルト８により梁２ｂに固定できる、本外付け部材の取付構造が耐震補強フレーム１等の耐震補強部材の取り付けにより適している。上記実施形態においては、外付け部材を耐震補強フレーム１としたが、これに限るものではない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１  耐震補強フレーム、２  既存建物、２ｂ  梁、４  横材、４ｄ  取付部、
４ｅ  係合片、４ｆ  係合部、５  アタッチメント、５ｂ  フック片、
５ｄ  張出部、５ｈ  上溝上形成片、５ｎ  上溝上形成片の下縁、
５ｍ  張出部の下面、７  固定金具、８  ボルト、８ａ  ボルト頭部、
２６  ボルト挿通部
【図１】
2018066218.tif 000003
【図２】
2018066218.tif 000004
【図３】
2018066218.tif 000005
【図４】
2018066218.tif 000006
【図５】
2018066218.tif 000007